(57)【要約】      （修正有）【課題】強い風を受けても中親骨等の傘骨の塑性変形や破損をより確実に防ぐことができる頑丈な折畳傘を提供する。【解決手段】親骨１７は、基親骨２１と中親骨２２と先親骨２３とを有し、これらを第１ジョイント２５と第２ジョイント２６とを介して順次連結して３つ折りに屈伸可能に構成され、受骨１８の先端部が基親骨の中間部に枢支され、受骨の基親骨への枢支部近傍と第１ジョイントの突出端部との間に、第１バネ線材２７が連結され、基親骨の中親骨への枢支部近傍と第２ジョイントの突出端部との間に、第２バネ線材３０が連結された折畳傘であって、中親骨が先親骨と共に弾性を有する合成樹脂により棒状に形成され、第１ジョイントと第２ジョイントとが金属により構成されている。傘布の下面に強風を受けると、中親骨及び先親骨が弾性変形により大きく上向きに反り返って、強風を逃すことができる。【選択図】図１
0003188940.tif 000002
【実用新案登録請求の範囲】
【請求項１】
中棒（３）の先端部に固定した上ロクロ（４）に基端が枢着されて開閉される複数本の親骨（１７）と、中棒（３）に摺動自在に外嵌した下ロクロ（５）に基端が枢着され先端側が放射状に延びる複数本の受骨（１８）とを備え、親骨（１７）は、基親骨（２１）と中親骨（２２）と先親骨（２３）とを有し、これらを中親骨（２２）の基部に延長突設した第１ジョイント（２５）と先親骨（２３）の基部に延長突設した第２ジョイント（２６）とを介して順次連結して３つ折りに屈伸可能に構成され、
受骨（１８）の先端部が基親骨（２１）の中間部に枢支され、受骨（１８）の基親骨（２１）への枢支部近傍と第１ジョイント（２５）の突出端部との間に、基親骨（２１）と受骨（１８）と中親骨（２２）との間で４節リンク機構（２８）を形成するように第１バネ線材（２７）が連結され、基親骨（２１）の中親骨（２２）への枢支部近傍と第２ジョイント（２６）の突出端部との間に、基親骨（２１）と中親骨（２２）と先親骨（２３）との間で４節リンク機構（３１）を形成するように第２バネ線材（３０）が連結された折畳傘であって、
前記中親骨（２２）が先親骨（２３）と共に弾性を有する合成樹脂により棒状に形成され、前記第１ジョイント（２５）と第２ジョイント（２６）とが金属により構成されていることを特徴とする折畳傘。
【請求項２】
中親骨（２２）の中途部にバネ係止体（４１）が摺動自在に外嵌され、このバネ係止体（４１）に第２バネ線材（３０）の中途部が係合保持されていることを特徴とする請求項１に記載の折畳傘。
【請求項３】
第２バネ線材（３０）の中途部に中親骨（２２）に向けて突出した係合突部（６３）が形成され、バネ係止体（４１）は中親骨（２２）に摺動自在に外嵌される嵌合筒部（４２）と嵌合筒部（４２）から第２バネ線材（３０）に向けて突出した係止突部（４３）とを有し、係止突部（４３）に中親骨長手方向に係止孔（４４）が設けられており、係止突部（４３）の係止孔（４４）に係合突部（６３）が挿通保持されていることを特徴とする請求項２に記載の折畳傘。
【請求項４】
中親骨（２２）の先端部に金属製の連結具（４６）が外方突出状に外嵌固定され、中親骨（２２）が連結具（４６）を介して第２ジョイント（２６）に枢支軸（４９）廻りに揺動自在に枢支されていることを特徴とする請求項１〜３のいずれかに記載の折畳傘。
【考案の詳細な説明】
【技術分野】
【０００１】
本考案は、強風を受けても親骨や受骨等の傘骨が折れないようにした折畳傘に関するものである。
【背景技術】
【０００２】
強風を受けても親骨が上側に反転して親骨や受骨等の骨が折れないようにした折畳傘には、中棒の先端部に固定した上ロクロに基端が枢着されて開閉される複数本の親骨と、中棒に摺動自在に外嵌した下ロクロに基端が枢着され先端側が放射状に延びる複数本の受骨とを備え、親骨は、基親骨と中親骨と先親骨とを有し、これらを中親骨の基部に延長突設した第１ジョイントと先親骨の基部に延長突設した第２ジョイントとを介して順次連結して３つ折りに屈伸可能に構成され、受骨の先端部が基親骨の中間部に枢支され、受骨の基親骨への枢支部近傍と第１ジョイントの突出端部との間に、基親骨と受骨と中親骨との間で４節リンク機構を形成するように第１バネ線材が連結され、基親骨の中親骨への枢支部近傍と第２ジョイントの突出端部との間に、基親骨と中親骨と先親骨との間で４節リンク機構を形成するように第２バネ線材が連結されたものがある。
【０００３】
この種の従来の折畳傘は、親骨の中親骨は基親骨及び受骨と同様に長尺帯状の金属板を長手方向に沿って折り曲げることにより断面Ｕ字状に形成されていた（例えば特許文献１）。
【先行技術文献】
【特許文献】
【０００４】
【特許文献１】実用新案登録第３０６８５６４号公報
【考案の概要】
【考案が解決しようとする課題】
【０００５】
従来の場合、親骨の中親骨は金属板により断面Ｕ字状に形成されていたため、弾力性に欠けており、このため、強風への対策がまだ不十分であり、折畳傘が強い風を受けて中親骨が上側に大きく反転したり、中親骨が下側に大きく屈曲したりすると、中親骨や基親骨や受骨が塑性変形したり破損したりするおそれが大であった。
本考案は上記問題点に鑑み、強い風を受けても中親骨等の傘骨の塑性変形や破損をより確実に防ぐことができる頑丈な折畳傘を提供することを目的としている。
【課題を解決するための手段】
【０００６】
本考案における課題解決のための具体的手段は、次の通りである。
この技術的課題を解決する本考案の技術的手段は、中棒３の先端部に固定した上ロクロ４に基端が枢着されて開閉される複数本の親骨１７と、中棒３に摺動自在に外嵌した下ロクロ５に基端が枢着され先端側が放射状に延びる複数本の受骨１８とを備え、親骨１７は、基親骨２１と中親骨２２と先親骨２３とを有し、これらを中親骨２２の基部に延長突設した第１ジョイント２５と先親骨２３の基部に延長突設した第２ジョイント２６とを介して順次連結して３つ折りに屈伸可能に構成され、
受骨１８の先端部が基親骨２１の中間部に枢支され、受骨１８の基親骨２１への枢支部近傍と第１ジョイント２５の突出端部との間に、基親骨２１と受骨１８と中親骨２２との間で４節リンク機構２８を形成するように第１バネ線材２７が連結され、基親骨２１の中親骨２２への枢支部近傍と第２ジョイント２６の突出端部との間に、基親骨２１と中親骨２２と先親骨２３との間で４節リンク機構３１を形成するように第２バネ線材３０が連結された折畳傘であって、
前記中親骨２２が先親骨２３と共に弾性を有する合成樹脂により棒状に形成され、前記第１ジョイント２５と第２ジョイント２６とが金属により構成されている点にある。
【０００７】
また、本考案の他の技術的手段は、中親骨２２の中途部にバネ係止体４１が摺動自在に外嵌され、このバネ係止体４１に第２バネ線材３０の中途部が係合保持されている点にある。
また、本考案の他の技術的手段は、第２バネ線材３０の中途部に中親骨２２に向けて突
出した係合突部６３が形成され、バネ係止体４１は中親骨２２に摺動自在に外嵌される嵌合筒部４２と嵌合筒部４２から第２バネ線材３０に向けて突出した係止突部４３とを有し、係止突部４３に中親骨長手方向に係止孔４４が設けられており、係止突部４３の係止孔４４に係合突部６３が挿通保持されている点にある。
【０００８】
また、本考案の他の技術的手段は、中親骨２２の先端部に金属製の連結具４６が外方突出状に外嵌固定され、中親骨２２が連結具４６を介して第２ジョイント２６に枢支軸４９廻りに揺動自在に枢支されている点にある。
【考案の効果】
【０００９】
本考案によれば、中親骨が先親骨と共に弾性を有する合成樹脂により棒状に形成されているので、開傘しているときに傘布の下面に強風を受けると、基親骨及び受骨がやや上向きに弾性変形した程度で、中親骨及び先親骨が弾性変形により大きく上向きに反り返って反転し、これにより強風を傘布の下側から上側に向けてスムーズに逃がすことができ、親骨や受骨に上方に押圧する強い力が作用しなくなり、中親骨や基親骨や受骨が塑性変形したり破損したりするのをより確実に防止することができる。
【００１０】
そして、全ての中親骨及び先親骨が上向きに反り返った後には、下ロクロを中棒に対して下方に摺動させることにより、受骨を介して基親骨の中間部を下方に引き下げ、全ての中親骨及び先親骨を上向きの反り返りのない元の状態に簡単に戻すことができる。
また、傘布が上側から強風を受けると、中親骨及び先親骨が下方に大きく弾性変形して、基親骨及び受骨が下方に弾性変形するのを防ぐことができ、基親骨又は受骨が下方に大きく弾性変形することによって、塑性変形したり破損したりするのを防止することができる。
【００１１】
また、第１ジョイントと第２ジョイントとが金属製であるから、基親骨と中親骨との連結部分及び中親骨と先親骨との連結部分を頑丈なものになすことができ、中親骨及び先親骨が弾性を有する合成樹脂により形成されているにも拘わらず、折畳傘の使用中等に上記連結部分が不測に上下方向又は水平方向にガタ付いたりするのを防止できる。
【図面の簡単な説明】
【００１２】
【図１】本考案の一実施形態を示す親骨及び受骨の側面図である。
【図２】同折畳状態の折畳傘の側面図である。
【図３】同開傘状態の折畳傘の側面図である。
【図４】同図１のＡ−Ａ線断面図である。
【図５】同図１のＢ−Ｂ線断面図である。
【図６】同図１のＣ−Ｃ線断面図である。
【図７】同図１のＤ−Ｄ線断面図である。
【図８】同図１のＥ−Ｅ線断面図である。
【図９】同図１のＦ−Ｆ線断面図である。
【考案を実施するための形態】
【００１３】
以下、本考案の実施の形態を図面に基づいて説明する。
図１〜図９は本考案の一実施形態を示している。図１〜図３において、折畳傘１は、中棒３と中棒３の先端部に固定した上ロクロ４と、中棒３に上下摺動自在に外嵌した下ロクロ５とを備える。
中棒３は３つの筒体によって伸縮自在に構成されている。中棒３の上ロクロ４下方にはじき６が出退自在に設けられ、はじき６は図示省略のバネにより中棒３から外方突出するように付勢されている。中棒３の下部に把持部７が取り付けられている。
【００１４】
下ロクロ５の上下方向の中央部に受骨枢着部１１が設けられ、受骨枢着部１１の上方に上筒部１２が設けられ、受骨枢着部１１の下方に下筒部１３が設けられている。下ロクロ５の下筒部１３内ではじき６が下筒部１３に対して係脱自在に係合して、下ロクロ５を中棒３の上部で上下摺動不能にロックするように構成されている。
下筒部１３に操作ボタン１５が設けられ、操作ボタン１５を押圧操作することによってはじき６がバネの付勢に抗して中棒３内に後退して下筒部１３への係合が外れ、これにより下ロクロ５が摺動可能になるように構成されている。
【００１５】
また、折畳傘１は、上ロクロ４に基端が枢着されて開閉される複数本（図例では８本）の親骨１７と、下ロクロ５の受骨枢着部１１に基端が枢着され先端側が放射状に延びる複数本（図例では８本）の受骨１８とを備え、複数の親骨１７を上側から覆うように傘布１９が配置され、傘布１９は各親骨１７に複数箇所で図示省略の連結紐で連結されている。
親骨１７は、基親骨２１と中親骨２２と先親骨２３とを有し、これらを中親骨２２の基部に延長突設した第１ジョイント２５と先親骨２３の基部に延長突設した第２ジョイント２６とを介して順次連結して３つ折りに屈伸可能に構成されている。
【００１６】
受骨１８の先端部が基親骨２１の中間部に枢支されている。受骨１８の基親骨２１への枢支部近傍と第１ジョイント２５の突出端部との間に第１バネ線材２７が連結され、第１バネ線材２７が基親骨２１と受骨１８と中親骨２２との間で４節リンク機構２８を構成している。即ち、４節リンク機構２８が基親骨２１と受骨１８と中親骨２２と第１バネ線材２７とで構成され、基親骨２１の開閉動作に連動して中親骨２２が伸長又は屈曲動作をするようになっている。
【００１７】
基親骨２１の中親骨２２への枢支部近傍と第２ジョイント２６の突出端部との間に第２バネ線材３０が連結され、第２バネ線材３０が基親骨２１と中親骨２２と先親骨２３との間で４節リンク機構３１を構成している。即ち、４節リンク機構３１が基親骨２１と中親骨２２と先親骨２３と第２バネ線材３０とで構成され、中親骨２２の屈伸動作に連動して先親骨２３が屈伸動作をするようになっている。
【００１８】
而して、下ロクロ５を上方摺動したときに、はじき６が下筒部１３に対して係合して下ロクロ５を中棒３の上部で上下摺動不能にロックし、このときに受骨１８が基親骨２１の中間部を上方に押圧して基親骨２１を開くと共に、第１バネ線材２７の作用で基親骨２１に連動して中親骨２２が基親骨２１に対して伸長すると共に、第２バネ線材３０の作用で先親骨２３が中親骨２２に対して伸長するように構成されている。
【００１９】
また、下ロクロ５を下方摺動したときに、受骨１８が基親骨２１の中間部を下方に引張して基親骨２１を閉じる共に、第１バネ線材２７の作用で基親骨２１に連動して中親骨２２が基親骨２１に対して屈曲すると共に、第２バネ線材３０の作用で先親骨２３が中親骨２２に対して屈曲するように構成されている。
受骨１８は、スチール又はアルミ合金等の金属板を折り曲げることにより形成され、受骨１８の基部及び先端部は一対の側壁と一対の側壁の上端部を連結する上連結壁とを有する断面Ｕ字状に形成され、基部と先端部との間の中途部は円筒状に形成されている。
【００２０】
受骨１８の基部は下ロクロ５の受骨枢着部１１に枢着され、受骨１８の先端部は後述する基親骨２１の側壁内に挿入されて枢支軸３３廻りに揺動自在に枢支されている。受骨１８の枢支軸３３よりもやや基端側の側壁間にバネ係止軸３４が挿通保持されている。
基親骨２１は、スチール又はアルミ合金等の金属板により一対の側壁と一対の側壁の上端部を連結する上連結壁とを有する断面Ｕ字状に形成されている。基親骨２１の基部が上ロクロ４に枢着されて、基親骨２１が開閉するようになっている。
【００２１】
基親骨２１の先端よりもやや基端側の上連結壁に円弧状の係止リング３６が突設されている。
中親骨２２は、塩化ビニル（ＰＶＣ）等の弾性を有する合成樹脂により長細い角棒状に形成され、図４及び図５に示すように、中親骨２２の上面及び下面に凹溝３８が長手方向に全長に亘って形成されている。中親骨２２の基部が第１ジョイント２５を介して基親骨２１の先端部に第１枢支軸３９廻りに屈曲自在（揺動自在）に連結されている。
【００２２】
中親骨２２の中途部にバネ係止体４１が摺動自在に外嵌されている。図４に示すように、バネ係止体４１は中親骨２２に摺動自在に外嵌される嵌合筒部４２と嵌合筒部４２から第２バネ線材３０に向けて突出した係止突部４３とを有し、係止突部４３に中親骨２２長手方向に係止孔４４が設けられている。
図８にも示すように、中親骨２２の先端部に金属製の連結具４６が外方突出状に外嵌固定されている。連結具４６は中親骨２２の先端部に外嵌固定される固定筒部４７と固定筒部４７から外方突出した扁平な板状の連結板部４８とを有している。
【００２３】
先親骨２３は、塩化ビニル（ＰＶＣ）等の弾性を有する合成樹脂により長細い丸棒状に
形成され、中親骨２２よりも細くなっている。先親骨２３の基部が第２ジョイント２６を介して基親骨２１の先端部の連結具４６に第２枢支軸４９廻りに屈曲自在（揺動自在）に連結されている。
第１ジョイント２５は、スチール又はアルミ合金等の金属板により構成され、中親骨２２の基部に外嵌固定される嵌合筒部５１と、嵌合筒部５１の外方に位置して基親骨２１の先端部を枢支する基親骨枢支部５２と、基親骨枢支部５２の外方に位置して第１バネ線材２７の端部を連結するバネ連結部５３とを一体に有している。
【００２４】
基親骨枢支部５２は、図６に示すように一対の側壁５２ａと側壁５２ａの下部同士を連結する下連結壁５２ｂとを有する断面Ｕ字状に形成され、基親骨２１の先端部が基親骨枢支部５２内（一対の側壁５２ａ間）に挿入されて第１枢支軸３９廻りに揺動自在に枢支され、これにより前述の如く中親骨２２の基部が第１ジョイント２５を介して基親骨２１の先端部に第１枢支軸３９廻りに屈曲自在に連結されている。
【００２５】
バネ連結部５３は、図７に示すように一対の側壁５３ａと側壁５３ａの下部同士を連結する下連結壁５３ｂとを有する断面Ｕ字状に形成され、バネ連結部５３の側壁５３ａ間にバネ係止軸５５が挿通保持されている。
第２ジョイント２６は、スチール又はアルミ合金等の金属板により構成され、先親骨２３の基部に外嵌固定される嵌合筒部５８と、嵌合筒部５８の外方に位置して中親骨２２の先端部を枢支する中親骨枢支部５９と、中親骨枢支部５９の外方に位置して第２バネ線材３０の端部を連結するバネ連結部６０とを一体に有している。
【００２６】
中親骨枢支部５９は、図８に示すように一対の側壁５９ａと側壁５９ａの上部同士を連結する上連結壁５９ｂとを有する断面Ｕ字状に形成され、中親骨２２の連結具４６の連結板部４８が中親骨枢支部５９内（側壁５９ａ間）に挿入されて第２枢支軸４９廻りに揺動自在に枢支され、これにより、前述の如く中親骨２２の先端部に先親骨２３の基部が第２ジョイント２６を介して屈曲自在に連結されている。
【００２７】
バネ連結部６０は、図９に示すように一対の側壁６０ａと側壁６０ａの上部同士を連結する上連結壁６０ｂとを有する断面Ｕ字状に形成され、バネ連結部６０の側壁６０ａ間にバネ係止軸６１が挿通保持されている。
第１バネ線材２７は弾性の高いステンレス線や硬鋼線やピアノ線等により構成され、第１バネ線材２７の一端部が受骨１８のバネ係止軸３４に揺動自在に巻回されている。第１バネ線材２７の他端部は第１ジョイント２５のバネ係止軸５５に揺動自在に巻回されている。
【００２８】
第２バネ線材３０は弾性の高いステンレス線や硬鋼線やピアノ線等により構成され、第２バネ線材３０の一端部がフック状に屈曲されて基親骨２１の係止リング３６に係合され、第２バネ線材３０の他端部は第２ジョイント２６のバネ係止軸６１に揺動自在に巻回されている。
第２バネ線材３０の中途部に中親骨２２に向けて円弧状に突出した係合突部６３が設けられ、係止突部４３の係止孔４４に係合突部６３が挿通され、これにより、第２バネ線材３０の中途部がバネ係止体４１に係合保持されている。
【００２９】
上記実施形態によれば、図２に示すように折畳傘１を閉傘した状態から、下ロクロ５を上方摺動させると、図３に示すように親骨１７が開くと共に下筒部１３にはじき６が係合して、折畳傘１が開傘状態に保持される。
そして、開傘しているときに、傘布１９の下面に強風を受けると、親骨１７の中親骨２２が先親骨２３と共に弾性を有する合成樹脂により棒状に形成されているので、図３に２点鎖線で示すように、基親骨２１及び受骨１８がやや上向きに弾性変形した程度で、中親骨２２及び先親骨２３が弾性変形により大きく上向きに反り返って反転し、これにより強風を傘布１９の下側から上側に向けてスムーズに逃がすことができ、親骨１７や受骨１８に上方に押圧する強い力が作用しなくなり、基親骨２１や中親骨２２や先親骨２３や受骨１８が塑性変形したり破損したりするのを確実に防止することができる。
【００３０】
しかも、中親骨２２の中途部にバネ係止体４１が摺動自在に外嵌され、このバネ係止体４１に第２バネ線材３０の中途部が係合保持されているので、中親骨２２及び先親骨２３
が弾性変形により上向きに反り返る際に、バネ係止体４１が中親骨２２を摺動して、第２バネ線材３０と中親骨２２との間の弾性変形による反り返りのずれをうまく吸収することができ、中親骨２２及び先親骨２３を大きな抵抗もなくスムーズに上向きに反り返らせることができ、この点からも基親骨２１や受骨１８や中親骨２２の破損や塑性変形を効果的に防止することが可能になる。
【００３１】
そして、全ての中親骨２２及び先親骨２３が上向きに反り返った後には、下ロクロ５を中棒３に対して下方に摺動させることにより、受骨１８を介して基親骨２１の中間部を下方に引き下げ、全ての中親骨２２及び先親骨２３を上向きの反り返りのない元の状態に簡単に戻すことができる。
また、中親骨２２が先親骨２３と共に弾性を有する合成樹脂により長細い棒状に形成されているため、傘布１９が上側から強風を受けると、中親骨２２及び先親骨２３が下方に大きく弾性変形して、基親骨２１及び受骨１８が下方に弾性変形するのを防ぐことができ、基親骨２１又は受骨１８が下方に大きく弾性変形することによって、塑性変形したり破損したりするのを防止することができる。
【００３２】
また、第１ジョイント２５が金属製であるから、中親骨２２が弾性を有する合成樹脂により形成されているにも拘わらず、基親骨２１と中親骨２２との連結を金属同士でなすことができて、基親骨２１と中親骨２２との連結を頑丈なものになすことができ、折畳傘１の使用中等に基親骨２１と中親骨２２との連結部分が不測に上下方向又は水平方向にガタ付いたりするのを防止できる。
【００３３】
また、第２ジョイント２６が金属製であり、中親骨２２の先端部に金属製の連結具４６が外方突出状に外嵌固定され、中親骨２２が連結具４６を介して第２ジョイント２６に第２枢支軸４９廻りに揺動自在に枢支されているので、中親骨２２と先親骨２３とが弾性を有する合成樹脂により棒状に形成されているにも拘わらず、中親骨２２と先親骨２３との連結も金属同士でなすことがきできて、中親骨２２と先親骨２３との連結を頑丈なものになすことができ、折畳傘１の使用中等に中親骨２２と先親骨２３との連結部分が不測に上下方向又は水平方向にガタ付いたりするのを防止できる。
【００３４】
なお、前記実施形態では、中親骨２２が弾性を有する合成樹脂により断面が四角形の角棒状に形成されているが、これに代え、中親骨２２を丸棒状、断面が三角形の角棒状、断面が楕円形の棒状その他の棒状に形成してもよい。また、先親骨２３についても角棒状その他の棒状に形成してもよい。
また、前記実施形態では、受骨１８は金属板により断面Ｕ字状に形成されているが、これに代え、受骨１８を硬質合成樹脂その他によって断面Ｕ字状に形成するようにしてもよいし、受骨１８を断面Ｕ字状以外の他の断面形状に形成してもよい。
【符号の説明】
【００３５】
１      折畳傘
３      中棒
４      上ロクロ
５      下ロクロ
１７    親骨
１８    受骨
２１    基親骨
２２    中親骨
２３    先親骨
２５    第１ジョイント
２６    第２ジョイント
２７    第１バネ線材
２８    ４節リンク機構
３０    第２バネ線材
３１    ４節リンク機構
４１    バネ係止体
４２    嵌合筒部
４３    係止突部
４４    係止孔
４６    連結具
４９    第２枢支軸
６３    係合突部
【図１】
0003188940.tif 000003
【図２】
0003188940.tif 000004
【図３】
0003188940.tif 000005
【図４】
0003188940.tif 000006
【図５】
0003188940.tif 000007
【図６】
0003188940.tif 000008
【図７】
0003188940.tif 000009
【図８】
0003188940.tif 000010
【図９】
0003188940.tif 000011